(57)【要約】【課題】撮影装置で奥行き感を持った撮影画像を撮影することができる撮影用フィルター、及び、そのような奥行き感を持った撮影画像を窓越しに人に見せることができる疑似窓装置を提供する。【解決手段】撮影装置２０の撮影レンズ２２における被写体側に被せられ、被写体光を透過させて撮影レンズに入射させる撮影用フィルター１０において、被写体側に凸の凸レンズが、被写体側の中央を含む所定範囲が略平坦な平坦部となるようにカットされた形状を有し、平坦部と、この平坦部を囲む周縁部とが滑らかに繋がって連続した１つの面をなしていることを特徴とする。疑似窓装置では、画像表示装置が、撮影用フィルター１０が撮影レンズ２２の被写体側に被せられたフィルター付き撮影装置３０での撮影によって得られた撮影画像を表示する。【選択図】図１
2016012055.tif 000002
【特許請求の範囲】
【請求項１】
撮影装置の撮影レンズにおける被写体側に被せられ、被写体光を透過させて前記撮影レンズに入射させる撮影用フィルターにおいて、
前記被写体側に凸の凸レンズが、前記被写体側の中央を含む所定範囲が略平坦な平坦部となるようにカットされた形状を有し、
前記平坦部と、該平坦部を囲む周縁部とが滑らかに繋がって連続した１つの面をなしていることを特徴とする撮影用フィルター。
【請求項２】
前記平坦部が、前記被写体側から見て略矩形状を有していることを特徴とする請求項１に記載の撮影用フィルター。
【請求項３】
前記平坦部が、前記被写体側の表面のうちの７０％から９０％を占めていることを特徴とする請求項１又は２に記載の撮影用フィルター。
【請求項４】
部屋の壁に取り付けられた窓と、前記部屋の外における、前記窓と対面しかつ該窓から離れた位置に配置され、前記窓よりも大サイズの表示画面を備えた画像表示装置と、を有する疑似窓装置において、
前記画像表示装置が、請求項１から３のうち何れか１項に記載の撮影用フィルターが撮影レンズの被写体側に被せられたフィルター付き撮影装置での撮影によって得られた撮影画像を表示することを特徴とする疑似窓装置。
【請求項５】
前記画像表示装置が、前記部屋の中で前記窓を正面から見たときに、前記撮影画像において前記撮影用フィルターの前記周縁部を通して撮影された周縁の画像部分が、前記窓の外側に隠れるように前記撮影画像を表示することを特徴とする請求項４に記載の疑似窓装置。
【請求項６】
前記窓が、前記部屋の互いに交差した２つの壁それぞれに取り付けられており、
前記画像表示装置が、前記部屋の外における、２つの前記窓それぞれに対応した位置に配置されており、
１台または２台の前記フィルター付き撮影装置が、第１の撮影方向と、前記部屋の中において２つの前記窓のうち第１の窓から第２の窓へと視線が旋回するときの旋回方向に前記第１の撮影方向から旋回した第２の撮影方向と、について撮影を行い、
２つの前記画像表示装置のうち、前記第１の窓に対応した第１の画像表示装置が前記第１の撮影方向に撮影された第１の撮影画像を表示し、前記第２の窓に対応した第２の画像表示装置が前記第２の撮影方向に撮影された第２の撮影画像を表示することを特徴とする請求項４又は５に記載の疑似窓装置。
【請求項７】
前記第２の撮影方向が、前記部屋の中において前記第１の窓から前記第２の窓へと視線が旋回するときの旋回角度と略等しい角度だけ前記第１の撮影方向から旋回した方向であることを特徴とする請求項６に記載の疑似窓装置。
【請求項８】
前記第１の撮影画像において前記撮影用フィルターの前記周縁部を通して撮影された周縁の画像部分のうち前記第２の撮影画像側の画像部分が、前記第２の撮影画像において前記撮影用フィルターの前記周縁部を通して撮影された周縁の画像部分のうち前記第１の撮影画像側の画像部分と重なることを特徴とする請求項６又は７に記載の疑似窓装置。
【請求項９】
前記旋回方向に開いた２本の腕部が、旋回中心側の端部どうしで連結されてなる固定台座の、前記２本の腕部それぞれに１台ずつ固定された２台の前記フィルター付き撮影装置によって、前記第１の撮影方向の撮影と前記第２の撮影方向の撮影とが行われることを特徴とする請求項６から８のうち何れか１項に記載の疑似窓装置。
【発明の詳細な説明】
【技術分野】
【０００１】
本発明は、撮影装置の撮影レンズに被せられる撮影用フィルター、及び、窓と画像表示装置とを有する疑似窓装置に関する。
【背景技術】
【０００２】
従来、地下室やクリーンルーム等のように構造上の理由から屋外の風景を見ることのできる窓の設置が困難な部屋に、次のような疑似窓装置を設置して、部屋の中の人の閉塞感等を緩和するという技術が提案されている（例えば、特許文献１参照。）。疑似窓装置は、部屋の壁に取り付けられた窓と、部屋の外で窓に表示画面を対面させた画像表示装置と、を有している。そして、画像表示装置の表示画面に、屋外の風景等を撮影して得られた撮影画像を表示させる。このような疑似窓装置によれば、部屋の中の人に、窓越しにあたかも屋外の風景等が見えているかのような感覚を与え、閉塞感等を緩和することができる。
【先行技術文献】
【特許文献】
【０００３】
【特許文献１】特許第５２６７８７７号公報
【発明の概要】
【発明が解決しようとする課題】
【０００４】
ここで、上記のような疑似窓装置の多くは、画像表示装置の表示画面に、撮影装置で普通に撮影された平面的な撮影画像が表示されるものとなっている。このため、窓越しに見える画像に奥行き感が乏しく、例えば人が見る方向を変えて窓越しの画像を見たとき等に、その人に違和感を与えてしまうことがある。
【０００５】
そこで、本発明は、撮影装置で奥行き感を持った撮影画像を撮影することができる撮影用フィルター、及び、そのような奥行き感を持った撮影画像を窓越しに人に見せることができる疑似窓装置を提供することを課題とする。
【課題を解決するための手段】
【０００６】
上述した課題を解決するため、請求項１に記載の発明は、撮影装置の撮影レンズにおける被写体側に被せられ、被写体光を透過させて前記撮影レンズに入射させる撮影用フィルターにおいて、前記被写体側に凸の凸レンズが、前記被写体側の中央を含む所定範囲が略平坦な平坦部となるようにカットされた形状を有し、前記平坦部と、該平坦部を囲む周縁部とが滑らかに繋がって連続した１つの面をなしていることを特徴とする。
【０００７】
また、請求項２に記載の発明は、請求項１に記載の撮影用フィルターにおいて、前記平坦部が、前記被写体側から見て略矩形状を有していることを特徴とする。
【０００８】
また、請求項３に記載の発明は、請求項１又は２に記載の撮影用フィルターにおいて、前記平坦部が、前記被写体側の表面のうちの７０％から９０％を占めていることを特徴とする。
【０００９】
また、上述した課題を解決するため、請求項４に記載の発明は、部屋の壁に取り付けられた窓と、前記部屋の外における、前記窓と対面しかつ該窓から離れた位置に配置され、前記窓よりも大サイズの表示画面を備えた画像表示装置と、を有する疑似窓装置において、前記画像表示装置が、請求項１から３のうち何れか１項に記載の撮影用フィルターが撮影レンズの被写体側に被せられたフィルター付き撮影装置での撮影によって得られた撮影画像を表示することを特徴とする。
【００１０】
また、請求項５に記載の発明は、請求項４に記載の疑似窓装置において、前記画像表示装置が、前記部屋の中で前記窓を正面から見たときに、前記撮影画像において前記撮影用フィルターの前記周縁部を通して撮影された周縁の画像部分が、前記窓の外側に隠れるように前記撮影画像を表示することを特徴とする。
【００１１】
また、請求項６に記載の発明は、請求項４又は５に記載の疑似窓装置において、前記窓が、前記部屋の互いに交差した２つの壁それぞれに取り付けられており、前記画像表示装置が、前記部屋の外における、２つの前記窓それぞれに対応した位置に配置されており、１台または２台の前記フィルター付き撮影装置が、第１の撮影方向と、前記部屋の中において２つの前記窓のうち第１の窓から第２の窓へと視線が旋回するときの旋回方向に前記第１の撮影方向から旋回した第２の撮影方向と、について撮影を行い、２つの前記画像表示装置のうち、前記第１の窓に対応した第１の画像表示装置が前記第１の撮影方向に撮影された第１の撮影画像を表示し、前記第２の窓に対応した第２の画像表示装置が前記第２の撮影方向に撮影された第２の撮影画像を表示することを特徴とする。
【００１２】
また、請求項７に記載の発明は、請求項６に記載の疑似窓装置において、前記第２の撮影方向が、前記部屋の中において前記第１の窓から前記第２の窓へと視線が旋回するときの旋回角度と略等しい角度だけ前記第１の撮影方向から旋回した方向であることを特徴とする。
【００１３】
また、請求項８に記載の発明は、請求項６又は７に記載の疑似窓装置において、前記第１の撮影画像において前記撮影用フィルターの前記周縁部を通して撮影された周縁の画像部分のうち前記第２の撮影画像側の画像部分が、前記第２の撮影画像において前記撮影用フィルターの前記周縁部を通して撮影された周縁の画像部分のうち前記第１の撮影画像側の画像部分と重なることを特徴とする。
【００１４】
また、請求項９に記載の発明は、請求項６から８のうち何れか１項に記載の疑似窓装置において、前記旋回方向に開いた２本の腕部が、旋回中心側の端部どうしで連結されてなる固定台座の、前記２本の腕部それぞれに１台ずつ固定された２台の前記フィルター付き撮影装置によって、前記第１の撮影方向の撮影と前記第２の撮影方向の撮影とが行われることを特徴とする。
【発明の効果】
【００１５】
請求項１に記載の発明では、撮影用フィルターの被写体側における中央を含む所定範囲が平坦部となっているため、撮影画像において目に付き易い中央の画像部分は、人が目で見たときの画像に近いものとなる。一方、この平坦部を囲む周縁部は、被写体側に凸の凸レンズにおける凸曲面を略残している。このため、この撮影用フィルターが撮影レンズの被写体側に被せられた撮影装置で撮影された撮影画像は、撮影用フィルターの周縁部を通して撮影された周縁の画像部分が手前側に迫ってくるように湾曲した画像となる。このような周縁の画像部分における湾曲は撮影画像に奥行き感を付与する。また、撮影用フィルターにおいて平坦部と周縁部とが滑らかに繋がって連続した１つの面をなしているので、撮影画像は、人の見た目に近い中央の画像部分と、湾曲した周縁の画像部分とが滑らかに繋がって連続した、奥行き感を持った画像となる。このように、請求項１に記載の発明によれば、撮影装置で奥行き感を持った撮影画像を撮影することができる。
【００１６】
請求項２に記載の発明によれば、上記の平坦部が略矩形状となっているので、人の見た目に近い中央の画像部分も矩形状となり、矩形状であることが多い窓を通して見たときに違和感のない撮影画像を撮影することができる。
【００１７】
請求項３に記載の発明によれば、上記の平坦部が被写体側の表面のうちの７０％から９０％を占めているので、撮影画像を窓越しに見るときに目に付き易い中央の大部分が、人の見た目に近い画像部分で占められる。そして、人が窓を斜めから見るときに目に入り、人に奥行きを意識させるのに大きく寄与する、窓縁の向こう側に位置する周縁の画像部分が湾曲した撮影画像を撮影することができる。
【００１８】
請求項４に記載の発明では、上記のような撮影用フィルターが撮影レンズの被写体側に被せられたフィルター付き撮影装置で撮影された奥行き感を持った撮影画像が、窓の外に配置された画像表示装置の表示画面に表示される。つまり、請求項４に記載の発明によれば、そのような奥行き感を持った撮影画像を窓越しに人に見せることができる。
【００１９】
請求項５に記載の発明では、窓を正面から見たときに、撮影用フィルターの周縁部を通して撮影されて、上記のように湾曲した周縁の画像部分が、窓の外側に隠れる。このため、窓を正面から見たときに人の見た目に近い画像が窓越しに見えるので、この正面から見たときの違和感が軽減される。湾曲した周縁の画像部分は、窓を斜めから見たとき等に脇から目に入って奥行き感を演出することとなる。
【００２０】
請求項６に記載の発明では、第１の撮影方向に撮影された第１の撮影画像が第１の窓越しに表示され、第２の撮影方向に撮影された第２の撮影画像が第２の窓越しに表示される。そして、第２の撮影方向が、第１の窓から第２の窓へと視線が旋回するときの旋回方向に第１の撮影方向から旋回した方向となっている。これにより、部屋の中の人に、あたかも１つに繋がった風景等の画像が２つの窓越しに見えているかのような感覚を与えることができる。
【００２１】
請求項７に記載の発明では、第２の撮影方向が、部屋の中において第１の窓から第２の窓へと視線が旋回するときの旋回角度と略等しい角度だけ第１の撮影方向から旋回した方向となっている。これにより、２つの撮影画像を２つの窓越しに表示させたときの、それら２つの撮影画像の一体感を一層強めることができる。
【００２２】
請求項８に記載の発明では、第１の撮影画像の周縁の画像部分のうち第２の撮影画像側の画像部分が、第２の撮影画像の周縁の画像部分のうち第１の撮影画像側の画像部分と重なる。これにより、撮影で得られた２つの撮影画像を２つの窓越しに表示させたときの、それら２つの撮影画像の一体感を一層強めることができる。
【００２３】
請求項９に記載の発明では、上記の固定台座における２本の腕部それぞれに１台ずつ固定された２台のフィルター付き撮影装置によって撮影が行われることとなる。これにより、第１の撮影方向の撮影と、第２の撮影方向の撮影とを略同時に行うことができる。このような同時撮影によれば、撮影で得られた２つの撮影画像を２つの窓越しに表示させたときの、それら２つの撮影画像の一体感を一層強めることができる。
【図面の簡単な説明】
【００２４】
【図１】本発明の撮影用フィルターの実施形態を、撮影装置とともに示す斜視図である。
【図２】図１に示されている撮影用フィルターを矢印Ｄ２方向から見た側面図を使って、この撮影用フィルターの形状を説明する図である。
【図３】図１に示されている撮影用フィルターを矢印Ｄ３方向から見た正面図である。
【図４】図２及び図３に示されている撮影用フィルターが、図１に示されているように撮影レンズの被写体側に被せられたフィルター付き撮影装置によって撮影される撮影画像を模式的に示す図である。
【図５】本発明の疑似窓装置の第１実施形態を示す図である。
【図６】疑似窓装置において表示画面に表示された撮影画像を、部屋の中の人が、見る方向を変えて窓越しに見る様子を示す模式図である。
【図７】本発明の疑似窓装置の第２実施形態を示す図である。
【図８】図７（ｂ）に示されているＬ字台座を示す図である。
【図９】図７（ｂ）に示されているようにして撮影された第１の撮影画像及び第２の撮影画像が、図７（ａ）に示されている疑似窓装置で表示されている様子を示す図である。
【発明を実施するための形態】
【００２５】
以下、本発明の実施形態について図面を参照しながら説明する。まず、本発明の撮影用フィルターの実施形態について説明する。
【００２６】
図１は、本発明の撮影用フィルターの実施形態を、撮影装置とともに示す斜視図である。この図１に示されている撮影装置２０は、撮影装置本体２１と、撮影レンズ２２とを有し、動画撮影及び静止画撮影の双方が可能な装置である。この撮影装置２０が本発明にいう撮影装置の一例に相当する。撮影用フィルター１０は、矢印Ｄ１で示されているように、この撮影装置２０における撮影レンズ２２の被写体側に被せられる。そして、撮影用フィルター１０は、被写体光を透過させて撮影レンズ２２に入射させる。この撮影用フィルター１０は、次のような形状を有している。
【００２７】
図２は、図１に示されている撮影用フィルターを矢印Ｄ２方向から見た側面図を使って、この撮影用フィルターの形状を説明する図である。図３は、図１に示されている撮影用フィルターを矢印Ｄ３方向から見た正面図である。
【００２８】
撮影用フィルター１０は、被写体側が凸面となり反対側が平面となった平凸レンズ１０’が、被写体側の中央を含む所定範囲が略平坦な平坦部１１となるように、その中央部１３がカットされた形状を有している。図２（ａ）にはカット前の平凸レンズ１０’が示されており、図２（ｂ）にはカット後の撮影用フィルター１０が示されている。そして、図２（ｂ）に示されているように、この撮影用フィルター１０では、周縁部１２で囲まれた平坦部１１と、その周縁部１２とが滑らかに繋がって連続した１つの面をなしている。平凸レンズ１０’が、本発明にいう凸レンズの一例に相当し、平坦部１１が、本発明にいう平坦部の一例に相当し、周縁部１２が、本発明にいう周縁部の一例に相当する。
【００２９】
また、撮影用フィルター１０では、図３に示されているように、平坦部１１が略矩形状を有している。この矩形状の平坦部１１は、撮影用フィルター１０における被写体側の表面のうち７０％から９０％を占めていることが好ましく、７５％から８５％を占めていることが更に好ましい。ここでは、平坦部１１が、撮影用フィルター１０における被写体側の表面のうち８０％を占めているものとする。
【００３０】
このような形状を有する撮影用フィルター１０が、図１に示されているように撮影レンズ２２の被写体側に被せられたフィルター付き撮影装置３０によって撮影が行われると、撮影画像は次のような画像となる。このフィルター付き撮影装置３０が、本発明にいうフィルター付き撮影装置の一例に相当する。
【００３１】
図４は、図２及び図３に示されている撮影用フィルターが、図１に示されているように撮影レンズの被写体側に被せられたフィルター付き撮影装置によって撮影される撮影画像を模式的に示す図である。
【００３２】
上述したように、撮影用フィルター１０の被写体側における中央を含む所定範囲が平坦部１１となっている。このため、フィルター付き撮影装置３０で撮影される撮影画像４０は、目に付き易い中央の画像部分４１が、人が目で見たときの画像に近いものとなる。一方、撮影用フィルター１０において平坦部１１を囲む周縁部１２は、平凸レンズ１０’における凸曲面を略残している。このため、フィルター付き撮影装置３０で撮影される撮影画像４０は、図４に示されているように、撮影用フィルター１０の周縁部１２を通して撮影された周縁の画像部分４２が手前側に迫ってくるように湾曲した画像となる。このような周縁の画像部分４２における湾曲は撮影画像４０に奥行き感を付与する。また、撮影用フィルター１０において平坦部１１と周縁部１２とが滑らかに繋がって連続した１つの面をなしているので、撮影画像４０は、人の見た目に近い中央の画像部分４１と、湾曲した周縁の画像部分４２とが滑らかに繋がって連続した、奥行き感を持った画像となる。このように、撮影用フィルター１０によれば、フィルター付き撮影装置３０で奥行き感を持った撮影画像４０を撮影することができる。また、この撮影用フィルター１０では、平坦部１１が略矩形状となっているので、上記の撮影画像４０では、人の見た目に近い中央の画像部分４１が矩形状となる。また、撮影用フィルター１０において、平坦部１１が中央部の８０％を占めているので、撮影画像４０における中央の大部分が、人の見た目に近い画像部分で占められる。
【００３３】
次に、本発明の疑似窓装置の第１実施形態について説明する。
【００３４】
図５は、本発明の疑似窓装置の第１実施形態を示す図である。図５（ａ）には、第１実施形態の疑似窓装置５０を、この疑似窓装置５０が設置される部屋６０の中から見た正面図が示されている。図５（ｂ）には、図５（ａ）におけるＡ−Ａ断面を示す図である。
【００３５】
図５に示されている疑似窓装置５０は、地下室やクリーンルーム等のように構造上の理由から屋外の風景等を見ることのできる窓の設置が困難な部屋６０に設置される。そして、疑似窓装置５０は、部屋６０の中の人に、窓越しにあたかも屋外の風景等が見えているかのような感覚を与え、閉塞感等を緩和するものである。この疑似窓装置５０は、窓５１０と画像表示装置５２０とを有する。
【００３６】
窓５１０は、部屋６０の壁６１に取り付けられるものであり、矩形状の窓枠５１１と、この窓枠５１１に嵌め込まれたガラス板等の透明板５１２と、を有している。画像表示装置５２０は、矩形状の表示画面５２１ａを備えた表示装置本体５２１と、この表示装置本体５２１を部屋の外に配置する台座５２２と、を有している。表示装置本体５２１は、台座５２２上に載せられる。表示装置本体５２１の表示画面５２１ａは、窓５１０よりも大サイズとなっている。そして、表示画面５２１ａは、窓５１０と対面しかつ窓５１０から離れた位置に配置される。窓５１０が、本発明にいう窓の一例に相当し、画像表示装置５２０が、本発明にいう画像表示装置の一例に相当する。
【００３７】
疑似窓装置５０では、画像表示装置５２０の表示装置本体５２１における表示画面５２１ａに、屋外の風景等といった撮影画像を表示する。まず、この疑似窓装置５０では、表示画面５２１ａが窓５１０から離されていることで、窓５１０越しに風景等が見えるという感覚が演出されている。また、表示画面５２１ａが窓５１０よりも大サイズとなっていることで、人が、人が窓５１０越しに撮影画像を見るときに表示画面５２１ａの端が目に入らないようになっている。
【００３８】
そして、この疑似窓装置５０では、表示画面５２１ａに表示される撮影画像が、図１に示されているフィルター付き撮影装置３０で撮影され、図４に示されているように周辺の画像部分４１が湾曲した奥行き感を持った撮影画像４０となっている。このように、疑似窓装置５０は、奥行き感を持った撮影画像４０を窓５１０越しに人に見せるものとなっている。
【００３９】
図６は、疑似窓装置において表示画面に表示された撮影画像を、部屋の中の人が、見る方向を変えて窓越しに見る様子を示す模式図である。図６（ａ）には、人が窓５１０越しに撮影画像４０を正面から見ている様子が示されおり、図６（ｂ）には、人が窓５１０越しに撮影画像４０を斜めから見ている様子が示されている。
【００４０】
このとき、表示画面５２１ａには、図６（ａ）に示されているように人が正面から見たときに、窓５１０越しに矩形状の中央の画像部分４１が見え、湾曲した周縁の画像部分４２が窓枠５１１の向こう側に隠れるように、撮影画像４０が表示される。周縁の画像部分４２は、図６（ｂ）に示されているように、人が窓５１０越しに撮影画像４０を斜めから見るときに窓枠５１１の向こう側から目に入るようになっている。撮影画像４０は、この画像部分４１が、上述したように手前側に迫ってくるように湾曲しているため、見る人に奥行き感を強く意識させることができる。図６（ｂ）には図中右側の周縁の画像部分４２が目に入り奥行き感を意識させる様子が示されているが、同様のことが、図中左側の周縁の画像部分４２や、上下の周縁の画像部分４２についても言えることは言うまでもない。
【００４１】
また、上述したように撮影画像４０は、人の見た目に近い中央の画像部分４１が矩形状となっているので、矩形状の窓５２１と違和感なく馴染みやすい。また、この撮影画像４０は、その中央の大部分が、このような人の見た目に近い画像部分で占められる。そして、人が窓５０を斜めから見るときに目に入り、人に奥行きを意識させるのに大きく寄与する、窓枠５１１の向こう側に位置する周縁の画像部分４２が湾曲した画像となっている。
【００４２】
以上で、第１実施形態についての説明を終了し、続いて、本発明の疑似窓装置の第２実施形態について説明する。
【００４３】
図７は、本発明の疑似窓装置の第２実施形態を示す図である。図７（ａ）には、第２実施形態の疑似窓装置７０が示されている。そして、図７（ｂ）には、この疑似窓装置７０で表示される撮影画像の撮影の様子が示されている。
【００４４】
図７に示されている疑似窓装置７０は、部屋８０の互いに直交した２つの壁８１，８２に亘って設置される。この疑似窓装置７０は、第１の窓７１０、第２の窓７２０、第１の画像表示装置７３０、及び第２の画像表示装置７４０を有する。第１の窓７１０が、本発明にいう第１の窓の一例に相当し、第２の窓７２０が、本発明にいう第２の窓の一例に相当する。また、第１の画像表示装置７３０が、本発明にいう第１の画像表示装置の一例に相当し、第２の画像表示装置７４０が、本発明にいう第２の画像表示装置の一例に相当する。
【００４５】
第１の窓７１０は図中右側の壁８１に取り付けられており、窓枠７１１及び透明板７１２を有している。第２の窓７２０は図中左側の壁８２に取り付けられた、第１の窓７１０と略同サイズの窓であり、窓枠７２１及び透明板７２２を有している。
【００４６】
部屋８０の外側には、第１の窓７１０に対応する第１の画像表示装置７３０、及び、第２の窓７２０に対応する第２の画像表示装置７２０が設置されている。第１の画像表示装置７３０は、表示装置本体７３１及び台座７３２を有し、表示画面７３１ａが第１の窓７１０と対面しかつ第１の窓７１０から離れるように、表示装置本体７３１が、台座７３２上に配置されている。第２の画像表示装置７４０は、表示装置本体７４１及び台座７４２を有し、表示画面７４１ａが第２の窓７２０と対面しかつ第２の窓７２０から離れるように、表示装置本体７４１が、台座７４２上に配置されている。
【００４７】
そして、図７（ｂ）に示されているように第１のフィルター付き撮影装置９１及び第２のフィルター付き撮影装置９２によって撮影された２つの撮影画像が、第１の画像表示装置７３０及び第２の画像表示装置７４０によって表示される。第１の撮影装置９１は、第１の撮影方向Ｓ１に撮影を行い、第２の撮影装置９２は、第２の撮影方向Ｓ２に撮影を行う。第１のフィルター付き撮影装置９１及び第２のフィルター付き撮影装置９２のそれぞれも、本発明にいうフィルター付き撮影装置の一例に相当する。また、第１の撮影方向Ｓ１が、本発明にいう第１の撮影方向の一例に相当し、第２の撮影方向Ｓ２が、本発明にいう第２の撮影方向の一例に相当する。第１の撮影方向Ｓ１と第２の撮影方向Ｓ２は、次のような関係にある。
【００４８】
第２の撮影方向Ｓ２は、部屋８０の中において人が、図７（ａ）に示されているように第１の窓７１０から第２の窓７２０へと視線Ｖを旋回するときの旋回方向Ｒ１と同じ旋回方向Ｒ２に、第１の撮影方向Ｓ１から旋回した方向である。また、第１の撮影方向Ｓ１から第２の撮影方向Ｓ２への旋回角度が、上記のように視線Ｖを旋回するときの旋回角度と等しい９０°となっている。また、第１の撮影方向Ｓ１から第２の撮影方向Ｓ２への旋回中心Ｃは、第１のフィルター付き撮影装置９１よりも第１の撮影方向Ｓ１の後方側で、かつ、第２のフィルター付き撮影装置９２よりも第２の撮影方向Ｓ２の後方側に位置している。
【００４９】
このような２つの撮影方向Ｓ１，Ｓ２の撮影は、２台のフィルター付き撮影装置９１，９２を、次のような固定台１００に固定することで実現されている。固定台１００は、第１の三脚１０１、第２の三脚１０２、及びＬ字台座１０３を備えている。
【００５０】
図８は、図７（ｂ）に示されているＬ字台座を示す図である。この図８に示されているように、Ｌ字台座１０３は、第１の腕部１０３ａ及び第２の腕部１０３ｂを有している。第１の腕部１０３ａ及び第２の腕部１０３ｂは、第１の撮影方向Ｓ１から第２の撮影方向Ｓ２への旋回中心Ｃを中心に、その旋回角度と等しい９０°に開いている。そして、第１の腕部１０３ａ及び第２の腕部１０３ｂは、その旋回中心Ｃ側の端部が互いに一体的に連結されている。Ｌ字台座１０３が、本発明にいう固定台座の一例に相当する。また、第１の腕部１０３ａ及び第２の腕部１０３ｂのそれぞれが、本発明にいう腕部の一例に相当する。
【００５１】
第１の腕部１０３ａの先端側には、第１のフィルター付き撮影装置９１を、その撮影方向が第１の腕部１０３ａの長手方向と一致するように第１の腕部１０３ａに固定するための長孔１０３ａ−１と貫通孔１０３ａ−２とが設けられている。また、この第１の腕部１０３ａは、第１のフィルター付き撮影装置９１側とは反対側の裏面から第１の三脚１０１によって支持される。
【００５２】
第２の腕部１０３ｂの先端側には、第２のフィルター付き撮影装置９２を、その撮影方向が第２の腕部１０３ｂの長手方向と一致するように第２の腕部１０３ｂに固定するための長孔１０３ｂ−１と貫通孔１０３ｂ−２とが設けられている。また、この第２の腕部１０３ｂは、第２のフィルター付き撮影装置９２側とは反対側の裏面から第２の三脚１０２によって支持される。
【００５３】
このように、Ｌ字台座１０３への第１のフィルター付き撮影装置９１と第２のフィルター付き撮影装置９２との固定により、第１の撮影方向Ｓ１と第２の撮影方向Ｓ２とが設定される。そして、この状態で撮影することにより、第１の撮影方向Ｓ１の撮影と第２の撮影方向Ｓ２の撮影とが行われる。
【００５４】
第１のフィルター付き撮影装置９１で撮影される第１の撮影画像１１１や、第２のフィルター付き撮影装置９２で撮影される第２の撮影画像１１２は、図４に示されている撮影画像４０と同様に、その周縁の画像部分が湾曲した画像となる。このとき、これら２つの撮影は、第１の撮影画像１１１の周縁の画像部分における第２の撮影画像１１２側の画像部分１１１ａと、第２の撮影画像１１２の周縁の画像部分における第１の撮影画像１１１側の画像部分１１２ａとが重なるように行われる。撮影画像のこのような重なりは、Ｌ字台座１０３上における第１のフィルター付き撮影装置９１や、第２のフィルター付き撮影装置９２の、旋回中心Ｃからの距離を適宜に設定することで実現される。即ち、第１のフィルター付き撮影装置９１や第２のフィルター付き撮影装置９２を旋回中心Ｃから離すほど第１の撮影画像１１１と第２の撮影画像１１２が離れ、逆に旋回中心Ｃに近づけるほど第１の撮影画像１１１と第２の撮影画像１１２が近づく。第１の撮影画像１１１と第２の撮影画像１１２との間に上記のような重なりが生じるように、第１のフィルター付き撮影装置９１や第２のフィルター付き撮影装置９２の、旋回中心Ｃからの距離が調節される。そして、第１のフィルター付き撮影装置９１による撮影と第２のフィルター付き撮影装置９２による撮影とは、略同じタイミングで行われる。
【００５５】
このようにして撮影された第１の撮影画像１１１と第２の撮影画像１１２が、図７（ａ）に示されている疑似窓装置７０において次のように表示される。
【００５６】
図９は、図７（ｂ）に示されているようにして撮影された第１の撮影画像及び第２の撮影画像が、図７（ａ）に示されている疑似窓装置で表示されている様子を示す図である。この図９に示されているように、第１の撮影画像１１１が、第１の画像表示装置７３０の表示画面７３１ａに表示される。また、第２の撮影画像１１２が、第２の画像表示装置７４０の表示画面７４１ａに表示される。
【００５７】
このように疑似窓装置７０では、第１の撮影方向Ｓ１の撮影によって得られた第１の撮影画像１１１が第１の窓７１０越しに表示され、第２の撮影方向Ｓ２の撮影によって得られた第２の撮影画像１１２が第２の窓７２０越しに表示される。そして、上述したように第２の撮影方向Ｓ２が、第１の窓７１０から第２の窓７２０へと視線Ｖが旋回するときの旋回方向Ｒ１と同じ旋回方向Ｒ２に第１の撮影方向Ｓ１から旋回した方向となっている。これにより、部屋８０の中の人に、あたかも１つに繋がった風景等の画像が２つの窓越しに見えているかのような感覚を与えることができる。
【００５８】
また、疑似窓装置７０では、第２の撮影方向Ｓ２が、部屋８０の中において第１の窓７１０から第２の窓７２０へと視線Ｖが旋回するときの旋回角度と略等しい９０°の角度だけ第１の撮影方向Ｓ１から旋回した方向となっている。これにより、撮影で得られた２つの撮影画像を２つの窓越しに表示させたときの、それら２つの撮影画像の一体感が一層強められている。
【００５９】
また、疑似窓装置７０では、第１の撮影画像１１１の周縁の画像部分のうち第２の撮影画像１１２側の画像部分１１１ａが、第２の撮影画像１１２の周縁の画像部分のうち第１の撮影画像１１１側の画像部分１１２ａと重なる。これにより、撮影で得られた２つの撮影画像を２つの窓越しに表示させたときの、それら２つの撮影画像の一体感が一層強められている。
【００６０】
また、疑似窓装置７０では、上記のＬ字台座１０３における２本の腕部１０３ａ，１０３ｂそれぞれに１台ずつ固定された２台のフィルター付き撮影装置９１，９２によって撮影が行われることとなる。これにより、第１の撮影方向Ｓ１の撮影と、第２の撮影方向Ｓ２の撮影とを略同時に行うことができる。このような同時撮影により、撮影で得られた２つの撮影画像を２つの窓越しに表示させたときの、それら２つの撮影画像の一体感が一層強められている。
【００６１】
尚、以上に説明した撮影用フィルターの実施形態、疑似窓装置の第１実施形態及び第２実施形態は、いずれも本発明の代表的な形態を示したに過ぎず、本発明は、これらの実施形態に限定されるものではない。即ち、当業者は、従来公知の知見に従い、本発明の骨子を逸脱しない範囲で種々変形して実施することができる。かかる変形によってもなお本発明の撮影用フィルター及び疑似窓装置の構成を具備する限り、勿論、本発明の範疇に含まれるものである。
【００６２】
例えば、上述した撮影用フィルターの実施形態では、撮影用フィルター１０が有している形状がどのようにして成形されるものであるか特定していないが、次のような手法の何れで成形されてもよい。例えば、被写体側が凸面となり反対側が平面となった平凸レンズを用意し、被写体側の中央を含む所定範囲が略平坦な平坦部となるように、その中央部をカットすることで成形してもよい。あるいは、このような形状に対応した型を用意し、この型に、溶融状態の形成材料を流し込んで固化させることで成形してもよい。
【００６３】
また、上述した撮影用フィルターの実施形態では、矩形状の窓に馴染む撮影画像が得られるように、平坦部が略矩形状を有した撮影用フィルター１０が例示されている。しかしながら、本発明にいう撮影用フィルターはこれに限るものではない。本発明にいう撮影用フィルターは、その平坦部が、例えば丸窓に馴染む撮影画像が得られるように円形を有したものであってもよい。あるいは、矩形以外の多角形の窓に馴染む撮影画像が得られるように、平坦部が、そのような多角形を有したものであってもよい。
【００６４】
また、上述した疑似窓装置の第１実施形態及び第２実施形態では、いずれも、本発明にいう窓の一例として、矩形状の窓５１０，７１０，７２０が例示されている。しかしながら、本発明にいう窓はこれらに限るものではない。本発明にいう窓は、例えば丸窓であってもよく、あるいは、矩形以外の多角形の窓であってもよい。
【００６５】
また、上述した疑似窓装置の第１実施形態及び第２実施形態では、いずれも、本発明にいう画像表示装置の一例として、表示装置本体５２１，７３１，７４１が台座５２２，７３２，７４２の上に配置された画像表示装置５０，７０が例示されている。しかしながら、本発明にいう画像表示装置はこれに限るものではなく、例えば、表示画面が窓に対面しかつ表示画面が窓から離れるように、部屋の外壁面に固定されたもの等であってもよい。
【００６６】
また、上述した疑似窓装置の第２実施形態では、本発明にいう疑似窓装置の一例として、互いに直交した２つの壁８１，８２に亘って設置された疑似窓装置７０が例示されている。しかしながら、本発明にいう疑似窓装置はこれに限るものではなく、９０°よりも小さな鋭角で交差した２つの壁に亘って設置されるものであってもよく、あるいは、９０°よりも大きな鈍角で交差した２つの壁に亘って設置されるものであってもよい。
【００６７】
また、上述した疑似窓装置の第２実施形態では、本発明にいう疑似窓装置の一例として、第１のフィルター付き撮影装置９１及び第２のフィルター付き撮影装置９２という２台の撮影装置で撮影された２つの撮影画像を表示する疑似窓装置７０が例示されている。しかしながら、本発明にいう疑似窓装置はこれに限るものではなく、例えば、１台のフィルター付き撮影装置を使って２つの撮影方向について撮影された２つの撮影画像を表示するものであってもよい。
【００６８】
また、上述した疑似窓装置の第２実施形態では、本発明にいう第１の撮影方向及び第２の撮影方向の一例として、９０°に開いた２つの撮影方向が例示されている。しかしながら、本発明にいう第１の撮影方向及び第２の撮影方向はこれに限るものではなく、９０°よりも小さな鋭角に開いたものであってもよく、あるいは、９０°よりも大きな鈍角に開いたものであってもよい。
【符号の説明】
【００６９】
１０      撮影用フィルター（撮影用フィルターの一例）
１０’    平凸レンズ（凸レンズの一例）
１１      平坦部（平坦部の一例）
１２      周縁部（周縁部の一例）
１３      中央部
２０      撮影装置（撮影装置の一例）
２１      撮影装置本体
２２      撮影レンズ
３０，９１，９２      フィルター付き撮影装置（フィルター付き撮影装置の一例）
４０      撮影画像
４１      中央の画像部分
４２      周縁の画像部分
５０，７０      疑似窓装置（疑似窓装置の一例）
６０，８０      部屋
６１，８１，８２      壁
５１０      窓（窓の一例）
５１１，７１１，７２１      窓枠
５１２，７１２，７２２      透明板
５２０      画像表示装置（画像表示装置の一例）
５２１，７３１，７４１      表示装置本体
５２１ａ，７３１ａ，７４１ａ      表示画面
５２２，７３２，７４２      台座
７１０      第１の窓（第１の窓の一例）
７２０      第２の窓（第２の窓の一例）
７３０      第１の画像表示装置（第１の画像表示装置の一例）
７４０      第２の画像表示装置（第２の画像表示装置の一例）
１００      固定台
１０１      第１の三脚
１０２      第２の三脚
１０３      Ｌ字台座（固定台座の一例）
１０３ａ      第１の腕部（腕部の一例）
１０３ａ−１，１０３ｂ−１      長孔
１０３ａ−２，１０３ｂ−２      貫通孔
１０３ｂ      第２の腕部（腕部の一例）
１１１      第１の撮影画像
１１１ａ，１１２ａ    画像部分
１１２      第２の撮影画像
【図１】
2016012055.tif 000003
【図２】
2016012055.tif 000004
【図３】
2016012055.tif 000005
【図４】
2016012055.tif 000006
【図５】
2016012055.tif 000007
【図６】
2016012055.tif 000008
【図７】
2016012055.tif 000009
【図８】
2016012055.tif 000010
【図９】
2016012055.tif 000011